(57)【要約】【課題】車両において臨場感を伴うエンターテインメントを演出すること。【解決手段】車両６０に用いられるエンターテインメント制御装置１０が提供される。エンターテインメント制御装置１０は、映像格納機器４０から映像を取得する映像取得部１３と、取得された映像の映像シーンに応じて、シート制御情報および車両制御情報の少なくともいずれか一つを含む制御情報を設定する制御情報設定部１１、Ｐ１と、設定された制御情報を、対応する車両６０に搭載されているシート制御装置２０および車両制御装置３０に送信する送信部１３とを備える。【選択図】図１
2020188390.tif 000002
【特許請求の範囲】
【請求項１】
車両に用いられるエンターテインメント制御装置（１０）であって、
映像格納機器（４０）から映像を取得する映像取得部（１３）と、
取得された前記映像の映像シーンに応じて、シート制御情報および車両制御情報の少なくともいずれか一つを含む制御情報を設定する制御情報設定部（１１、Ｐ１）と、
設定された前記制御情報を、対応する前記車両に搭載されているシート制御装置（２０）および車両制御装置（３０）に送信する送信部（１３）と、を備える、エンターテインメント制御装置。
【請求項２】
請求項１に記載のエンターテインメント制御装置において、
前記映像には前記映像シーンを示す映像シーン情報が関連付けられており、
前記制御情報設定部は、前記映像シーン情報を取得し、取得した前記映像シーン情報を用いて前記制御情報を設定する、エンターテインメント制御装置。
【請求項３】
請求項１に記載のエンターテインメント制御装置において、
前記制御情報設定部は、前記映像を解析して前記映像シーンを示す映像シーン情報を取得し、取得した前記映像シーン情報を用いて前記制御情報を設定する、エンターテインメント制御装置。
【請求項４】
請求項１から請求項３のいずれか一項に記載のエンターテインメント制御装置において、
前記シート制御情報は、少なくともシートの温度調整機能、シートの姿勢調整機能およびシートのマッサージ機能のいずれか一つを制御する情報を含む、エンターテインメント制御装置。
【請求項５】
請求項１から請求項４のいずれか一項に記載のエンターテインメント制御装置において、
前記車両制御情報は、少なくとも室内空調調整機能、室内灯の照度調整機能およびスライディングルーフ調整機能のいずれか一つを制御する情報を含む、エンターテインメント制御装置。
【請求項６】
請求項１から請求項５のいずれか一項に記載のエンターテインメント制御装置において、
前記制御情報設定部はさらに、乗員の生体情報を取得する生体センサ（５０）からの検出信号を用いて前記制御情報を設定する、エンターテインメント制御装置。
【請求項７】
車両に用いられるエンターテインメント制御方法であって、
映像格納機器（４０）から映像を取得し、
取得した前記映像の映像シーンに応じて、シート制御情報および車両制御情報の少なくともいずれか一つを含む制御情報を設定し、
設定した前記制御情報を前記車両に搭載されているシート制御装置（２０）および車両制御装置（３０）に送信すること、を備える、エンターテインメント制御方法。
【発明の詳細な説明】
【技術分野】
【０００１】
本開示は車両におけるエンターテインメントを演出するために制御技術に関する。
【背景技術】
【０００２】
車両用のシートに対して座部や背もたれ部から冷風または温風を吹き出す機能をもたらすシート空調装置が知られている（例えば、特許文献１）。
【先行技術文献】
【特許文献】
【０００３】
【特許文献１】特開２００９−２３４４６１号公報
【０００４】
近年、車両内空間は、映画鑑賞を始めとするエンターテインメントを楽しむ空間として利用されつつある。オーディオビジュアル機器により提供される画質や音質の向上に伴い、車両内空間においても臨場感や体感の向上が求められている。これまで、エンターテインメントを演出する観点から、例えば、シートや車両装備を動作させることは十分に検討されていなかった。
【発明の概要】
【発明が解決しようとする課題】
【０００５】
したがって、車両において臨場感を伴うエンターテインメントを演出することが望まれている。
【課題を解決するための手段】
【０００６】
本開示は、以下の態様として実現することが可能である。
【０００７】
第１の態様は、車両に用いられるエンターテインメント制御装置を提供する。第１の態様に係るエンターテインメント制御装置は、映像格納機器から映像を取得する映像取得部と、取得された前記映像の映像シーンに応じて、シート制御情報および車両制御情報の少なくともいずれか一つを含む制御情報を設定する制御情報設定部と、設定された前記制御情報を、対応する前記車両に搭載されているシート制御装置および車両制御装置に送信する送信部と、を備える。
【０００８】
第１の態様に係るエンターテインメント制御装置によれば、車両において臨場感を伴うエンターテインメントを演出することができる。
【０００９】
第２の態様は、車両に用いられるエンターテインメント制御方法を提供する。第２の態様に係るエンターテインメント制御方法は、映像格納機器から映像を取得し、取得した前記映像の映像シーンに応じて、シート制御情報および車両制御情報の少なくともいずれか一つを含む制御情報を設定し、設定した前記制御情報を前記車両に搭載されているシート制御装置および車両制御装置に送信すること、を備える。
【００１０】
第２の態様係るエンターテインメント制御方法によれば、車両において臨場感を伴うエンターテインメントを演出することができる。なお、本開示は、エンターテインメント制御プログラムまたは当該プログラムを記録するコンピュータ読み取り可能記録媒体としても実現可能である。
【図面の簡単な説明】
【００１１】
【図１】第１の実施形態に係るエンターテインメント制御装置を含むエンターテインメントシステムの概略構成を示す説明図。
【図２】第１の実施形態に係るエンターテインメント制御装置の機能的構成を示すブロック図。
【図３】第１の実施形態に係るエンターテインメント制御装置によって実行される体感処理の処理フローを示すフローチャート。
【図４】シート制御装置または車両制御装置によって実行される機能調整の処理フローを示すフローチャート。
【図５】映像シーンと体感処理制御の設定内容とを関連付ける映像シーン制御テーブルの一例を示す説明図。
【発明を実施するための形態】
【００１２】
本開示に係るエンターテインメント制御装置およびエンターテインメント制御方法について、実施形態に基づいて以下説明する。
【００１３】
第１の実施形態：
第１の実施形態に係るエンターテインメント制御装置１０は、例えば、ナビゲーションシステムやオーディオビジュアルシステムに組み込まれていても良く、あるいは、個別の装置であっても良い。エンターテインメント制御装置１０は、図１に示すように、車両６０に搭載されている、シート制御装置２０、車両制御装置３０、映像格納機器４０および生体センサ５０と制御信号線を介して接続されている。エンターテインメント制御装置１０は、少なくとも、シート制御装置２０および車両制御装置３０と共にエンターテインメントシステム１００を構成する。エンターテインメント制御装置１０とシート制御装置２０、車両制御装置３０および映像格納機器４０とは双方向通信可能に接続されている。エンターテインメント制御装置１０がオーディオビジュアルシステムに組み込まれている場合、映像格納機器４０との接続に用いられる入出力インタフェースは、オーディオビジュアルシステムに備えられている入出力インタフェース、例えば、ＵＳＢ端子や専用端子といった有線用インタフェース、Ｂｌｕｅｔｏｏｔｈ（登録商標）やＷｉ-Ｆｉといった無線用インタフェースが用いられる。エンターテインメント制御装置１０が個別に備えられている場合、映像格納機器４０との接続に用いられる入出力インタフェースは、エンターテインメント制御装置１０に備えられている有線用インタフェースまたは無線用インタフェースが用いられる。
【００１４】
シート制御装置２０は、ＣＰＵ、メモリおよび入出力インタフェースを少なくとも備えるマイクロコンピュータとして実現され、シート２１に備えられている、シートヒータ２１１、シートベンチレータ２１２およびシートアクチュエータ２１３と制御信号線を介して接続されている。シートヒータ２１１はシート２１の座面や背もたれ面に配置され、座面や背もたれ面を適温に加熱して温度調整機能を実現する加熱装置である。シートベンチレータ２１２はシート２１の座面や背もたれ面に配置され、座面や背もたれ面から冷風を吹き出して温度調整機能を実現する冷却装置である。シートアクチュエータ２１３は、シート２１の背もたれ面や座面の角度あるいはシート２１の前後位置といったシートの姿勢調整機能を実現したり、シート２１の背もたれ面や座面に内蔵されているマッサージ機構の動作を制御するアクチュエータ、例えば、電動機である。シート制御装置２０は、シートヒータ２１１の温度、シーベンチレータ２１２の風量、シート２１の位置制御を実行する。シート制御装置２０は、シート２１における各制御状態をエンターテインメント制御装置１０に送信する。
【００１５】
車両制御装置３０は、ＣＰＵ、メモリおよび入出力インタフェースを少なくとも備えるマイクロコンピュータとして実現され、エアコンディショナ３１、表示ディスプレイ３２、スピーカ３３、スライディングルーフアクチュエータ３４１および室内灯３５と接続されている。エアコンディショナ３１は、車室内の冷房または暖房に用いられる空調装置であり、図１においては模式的に示す吹き出し部によって示されている。表示ディスプレイ３２は、同乗者のためにフロントシート背面や天井に備えられている映像コンテンツを表示するための表示装置である。表示ディスプレイ３２は、オーディオビジュアルに関する設定を入力するための入力装置としても機能し得る。設定の入力は、例えば、表示ディスプレイ３２のタッチ式の表示パネルを介して入力されても良く、表示ディスプレイ３２に備えられている物理操作キーを介して入力されても良い。スピーカ３３は、映像コンテンツの音声や音楽コンテンツの音声を出力する音声出力装置である。スライディングルーフアクチュエータ３４１は、スライディングルーフ３４を開閉するための電動機である。室内灯３５は、車室内を照らす照明であり、種々の色彩で車室を照らすことができる。車両制御装置３０は、エアコンディショナ３１における温度並びに風量といった室内空調調整機能、表示ディスプレイ３２における表示態様、スピーカ３３における出力態様、スライディングルーフ３４の開閉を含むスライディングルーフ調整機能および室内灯３５における照度調整機能を制御する。車両制御装置３０は、表示ディスプレイ３２を介して入力されるオーディオビジュアルに関する各種設定を受け取る。各種設定には、オーディオ、ビデオの切り換えの他、映像格納機器４０を外部機器として設定して映像格納機器４０からの映像信号を受信する外部入力モード設定、映像コンテンツに応じた臨場感を演出する体感設定が含まれる。
【００１６】
映像格納機器４０は、例えば、タブレット端末であり、映像コンテンツをメモリに格納している。本実施形態に係るエンターテインメント制御装置１０は、映像格納機器４０側に特別な機能を求めることなく、映像コンテンツに応じた臨場感を演出する体感処理を実行可能であるが、映像格納機器４０がアプリケーションを実行可能なタブレット端末等の場合、映像格納機器４０側に専用のアプリケーションをインストールすることで、エンターテインメント制御装置１０との協働動作の拡張が図られても良い。例えば、表示ディスプレイ３２において設定される体感設定を映像格納機器４０においてリモート入力できるようにしても良く、また、体感設定に関するユーザ個別の変更設定を実行できるようにしても良い。映像格納機器４０としては、スマートフォンや、ＵＳＢメモリやＳＳＤストレージといった映像コンテンツを格納するストレージが用いられても良い。すなわち、映像格納機器４０は、エンターテインメント制御装置１０に対して映像コンテンツを提供できる外部機器であれば良い。
【００１７】
生体センサ５０は、シート２１に着座している乗員の生体情報を検出するセンサである。生体情報としては、例えば、体温、心拍数、血圧が含まれる。生体センサ５０としては、乗員の皮膚表面温度を検出する温度センサ、乗員に装着または乗員が触れるシート２１の肘掛けに配置されている心拍センサ、血圧センサが含まれる。
【００１８】
図２に示すように、本実施形態に係るエンターテインメント制御装置１０は、演算部としての中央処理装置（ＣＰＵ）１１、記憶部としてのメモリ１２、入出力部としての入出力インタフェース１３および図示しないクロック発生器を備えている。ＣＰＵ１１、メモリ１２、入出力インタフェース１３およびクロック発生器は内部バス１４を介して双方向に通信可能に接続されている。メモリ１２は、オーディオビジュアルコンテンツに応じた臨場感を演出するための体感処理を実行するためのエンターテインメント制御プログラムＰ１を不揮発的且つ読み出し専用に格納するメモリ、例えばＲＯＭと、ＣＰＵ１１による読み書きが可能なメモリ、例えばＲＡＭとを含んでいる。メモリ１２のうち不揮発的且つ読み出し専用なメモリまたは領域には、映像シーンと体感処理制御の設定内容とを関連付ける映像シーン制御テーブルＴが格納されている。なお、メモリ１２のうち読み書き可能なメモリまたは領域には、ユーザによって修正設定された体感処理制御の設定内容が格納されてもよく、ＣＰＵ１１は、修正された設定内容を用いて映像シーン制御テーブルＴの内容を変更しても良い。ＣＰＵ１１はメモリ１２に格納されているエンターテインメント制御プログラムＰ１を読み書き可能なメモリに展開して実行することによって制御情報設定部として機能する。なお、ＣＰＵ１１は、単体のＣＰＵであっても良く、各プログラムを実行する複数のＣＰＵであっても良く、あるいは、複数のプログラムを同時実行可能なマルチタスクタイプのＣＰＵであっても良い。また、ＣＰＵ１１は、映像取得部および送信部として機能する入出力インタフェース１３を介して、映像記録器としての映像格納機器４０から映像を取得し、シート制御装置２０および車両制御装置３０に対して制御情報を送信する。
【００１９】
入出力インタフェース１３には、シート制御装置２０、車両制御装置３０、映像格納機器４０および生体センサ５０がそれぞれ制御信号線を介して接続されている。シート制御装置２０に対しては、例えば、シートの姿勢、温度調整、マッサージ機能といったシートの状態を制御する制御信号が送信され、また、シートの状態を示す検出信号が受信される。車両制御装置３０に対しては、例えば、空調、照度、スライディングルーフの開閉といった車両６０の状態を制御する制御信号が送信され、また、車両６０の状態を示す検出信号が受信される。映像格納機器４０からは映像信号が入力され、また、映像格納機器４０に対しては映像の再生状況を含む映像状態情報が送信され得る。生体センサ５０からはシート２１に着座している乗員から検出された生体情報が入力される。
【００２０】
図３を参照して、エンターテインメント制御装置１０によって実行される、オーディオビジュアルコンテンツに応じた臨場感を演出するための体感処理であるエンターテインメント制御処理について説明する。図３に示す処理フローは、例えば、映像格納機器４０がエンターテインメント制御装置１０に接続されたことを検出することによって、あるいは、乗員によってエンターテインメント制御装置１０が起動されることによって開始される。なお、表示ディスプレイ３２にモード切替ボタンを表示させ、臨場感を伴わない通常の映画鑑賞を実現可能としても良い。この場合には、以下に示す処理は実行されず映像信号は、表示ディスプレイ３２に直接送信される。
【００２１】
ＣＰＵ１１は、映像格納機器４０から映像信号を取得する（ステップＳ１００）。ＣＰＵ１１は、映像格納機器４０を外部記憶装置として扱い、映像格納機器４０に格納されている映像コンテンツの情報、例えば、タイトルを取得して乗員が選択可能となるように表示ディスプレイ３２上に表示する。乗員が表示ディスプレイ３２上において所望のタイトルを選択すると、ＣＰＵ１１は選択された映像コンテンツの格納領域にアクセスして、映像信号を取得する。あるいは、映像格納機器４０がタブレットである場合には、ＣＰＵ１１は、映像格納機器４０において選択されている映像コンテンツの格納領域にアクセスして、映像信号を取得しても良い。映像信号には、映像コンテンツを表す映像データおよび映像コンテンツに対応する音声データが含まれる。映像データには、コーデックに関する情報が含まれ得る。映像信号はさらに、映像コンテンツの映像シーンを示す映像シーン情報を含んでいても良い。映像シーンは、例えば、図５に示すように、ホラー、爆発、強風、炎天下、気温変化、晴天・曇天といった映像コンテンツに対応する特徴的なシーンである。映像シーン情報はこれら映像シーンを識別するための符号情報である。
【００２２】
ＣＰＵ１１は、取得した映像信号に映像シーン情報が含まれているか否かを判定する（ステップＳ１０２）。既述のように、映像信号には映像シーン情報が含まれ得る。ＣＰＵ１１は、取得した映像信号に映像シーン情報が含まれていないと判定すると（ステップＳ１０２：Ｎｏ）、取得した映像信号を解析して映像シーンを判別して映像シーン情報を取得する（ステップＳ１０４）。映像シーンの判別は、既知の物体認識技術を用いて実行可能であり、例えば、各映像フレームに含まれる画素値、輝度値といった特徴点を抽出し、選択的にクラスタリング処理を実行して、規定の映像シーンを示す参照モデルと対比することで類推することができる。ＣＰＵ１１は、映像シーン情報を取得すると、ステップＳ１０６に移行する。
【００２３】
ＣＰＵ１１は、取得した映像信号に映像シーン情報が含まれていると判定すると（ステップＳ１０２：Ｙｅｓ）、ステップＳ１０６に移行する。映像信号に対して予め映像シーン情報を関連付ける場合には、より処理能力の高いシステムを利用してより精度良く映像シーンを判別することが可能となる。
【００２４】
ＣＰＵ１１は、映像シーン制御テーブルＴを用いて映像シーン情報に応じた制御情報を設定する（ステップＳ１０６）。なお、制御情報には、シート制御情報および車両制御情報が含まれる。図５を参照して具体的な例について説明する。
（１）映像シーンがホラーシーンの場合には、悪寒を体感させるために、車両制御情報として室内空調温度を下げて冷風を吹き出す空調制御が設定され、シート制御情報としてシート空調温度を下げて冷風を吹き出すシート空調制御が設定される。
（２）映像シーンが爆発シーンの場合には、爆発に伴う振動や衝撃を体感させるために、シート制御情報としてマッサージ機構を作動させて振動を表現するシート機能制御やシート姿勢を大きく変動させて衝撃を表現するシート機能制御が設定される。なお、爆発に伴う炎の熱さを体感させるために、車両制御情報として室内空調温度を上げて温風を吹き出す空調制御が設定されても良い。
（３）映像シーンが強風シーンの場合には、強風を体感させるために、車両制御情報として室内空調風量を増大させる空調制御が設定される。
（４）映像シーンが炎天下シーンの場合には、高温環境を体感させるために、車両制御情報として室内空調温度を上げて温風を吹き出す空調制御が設定され、シート制御情報としてシート空調温度を上げて温風を吹き出すシート空調制御が設定される。
（５）映像シーンが気温変化を伴うシーンの場合には、気温変化を体感させるために、車両制御情報として室内空調温度を上昇または低下させる空調制御が設定され、シート制御情報としてシート空調温度を上昇または低下させるシート空調制御が設定される。
（６）映像シーンが晴天シーンの場合には、実際の晴天を体感させるために、車両制御情報として、スライディングルーフ３４を開放させるスライディングルーフ制御が設定され、あるいは、室内灯３５を点灯させる室内灯制御が設定される。曇天シーンの場合には、実際の曇天を体感させるために、車両制御情報として、開放されているスライディングルーフ３４を閉じさせるスライディングルーフ制御が設定され、あるいは、点灯している室内灯３５を消灯または照度を低下させる室内灯制御が設定される。
なお、これらの制御情報の設定、並びに映像シーンは一例であり、この他にも種々の態様が取られ得る。
【００２５】
ＣＰＵ１１は、設定された制御情報を対応するシート制御装置２０または車両制御装置３０に送信し（ステップＳ１０８）、映像コンテンツが終了するまで映像信号を経時的に取得して（ステップＳ１１０：Ｎｏ）、ステップＳ１００〜Ｓ１０８を繰り返し実行する。ＣＰＵ１１は、映像コンテンツが終了すると（ステップＳ１１０：Ｙｅｓ）、本処理ルーチンを終了する。
【００２６】
設定された制御情報を受けて、シート制御装置２０または車両制御装置３０は、図４に示す処理を実行する。シート制御装置２０は、制御情報、すなわち、シート制御情報を取得し（ステップＳ２００）、設定されたシート制御情報に応じたシート２１の機能調整を実行して（ステップＳ２０２）、本処理ルーチンを終了する。車両制御装置３０は、制御情報、すなわち、車両制御情報を取得し（ステップＳ２００）、設定された車両制御情報に応じた車両６０の機能調整を実行して（ステップＳ２０２）、本処理ルーチンを終了する。
【００２７】
シート制御装置２０および車両制御装置３０に対しては、制御情報が設定される毎に、エンターテインメント制御装置１０から制御情報が送信され、シート制御装置２０および車両制御装置３０は制御情報を受信すると上記の処理を実行する。設定された制御情報に応じてシート制御装置２０および車両制御装置３０が実行する機能調整は、図５を参照して上述した通りである。
【００２８】
以上説明した、第１の実施形態に係るエンターテインメント制御装置１０によれば、映像シーンに応じてシート制御情報および車両制御情報の少なくともいずれか一つを含む制御情報が設定されるので、映画鑑賞または映画視聴に関し、車両６０において臨場感を伴うエンターテインメントを演出することができる。すなわち、映像シーンに応じて、シート温度、シートの姿勢またはシートの振動といったシート機能、並びに空調温度・風量、スライディングルーフ３４の開閉、室内灯３５の照度調整といった車両機能が制御されるので、車両６０が備える装備を利用して車両６０において映像シーンに対応する臨場感を演出することが可能となる。
【００２９】
第１の実施形態に係るエンターテインメント制御装置１０によれば、既存の映像格納機器４０を用いて、映像シーンの体感を提供することができる。また、エンターテインメント制御装置１０がナビゲーションシステムやオーディオビジュアルシステムに組み込まれている場合には、乗員は、従来の映像鑑賞の手順を変更することなく映像シーンに対応する臨場感を得ることができる。
【００３０】
その他の実施形態：
（１）上記第１の実施形態において、生体センサ５０として温度センサや脈拍センサが用いられる場合、さらに、生体センサ５０によって検出された乗員の体温や脈拍といった生体情報を用いて制御情報が設定され、体感度が向上されても良い。具体的には、エンターテインメント制御装置１０から、制御情報として車内温度やシート温度を変更する制御情報が送信される場合に、乗員の体温をフィードバックすることによって、目標対応への到達時間を調整するように制御情報を設定することが可能となり、より乗員の感度に応じた体感を実現させることができる。
【００３１】
（２）上記第１の実施形態における映像シーンの体感に加え、車両６０に加湿装置やミスト発生装置が備えられている場合には、霧、霧雨あるいは雨天の映像シーンに応じて、加湿量やミスト発生量が増大されても良い。さらに、映像シーンにおける昼夜シーンに応じて、室内灯３５の照度が調整されても良い。
【００３２】
（３）上記第１の実施形態においては、表示ディスプレイ３２においてエンターテインメント制御に関わる設定、操作の入力が実行されているが、既述のようにアプリケーションを実行可能な映像格納機器４０が用いられる場合には、映像格納機器４０においてエンターテインメント制御に関わる設定、操作の指示が入力されても良い。この場合、乗員は自身のタブレットを通じて臨場感あふれる映像鑑賞を体験することができる。
【００３３】
（４）上記第１の実施形態においては、ＣＰＵ１１がプログラムを実行することによって、ソフトウェア的にエンターテインメント制御処理を含む各種処理を実行する制御部または制御装置が実現されているが、予めプログラムされた集積回路またはディスクリート回路によってハードウェア的に実現されても良い。すなわち、上記各実施形態における制御部およびその手法は、コンピュータプログラムにより具体化された一つまたは複数の機能を実行するようにプログラムされたプロセッサおよびメモリを構成することによって提供された専用コンピュータにより、実現されてもよい。あるいは、本開示に記載の制御部およびその手法は、一つ以上の専用ハードウェア論理回路によってプロセッサを構成することによって提供された専用コンピュータにより、実現されてもよい。もしくは、本開示に記載の制御部およびその手法は、一つまたは複数の機能を実行するようにプログラムされたプロセッサおよびメモリと一つ以上のハードウェア論理回路によって構成されたプロセッサとの組み合わせにより構成された一つ以上の専用コンピュータにより、実現されてもよい。また、コンピュータプログラムは、コンピュータにより実行されるインストラクションとして、コンピュータ読み取り可能な非遷移有形記録媒体に記憶されていてもよい。
【００３４】
以上、実施形態、変形例に基づき本開示について説明してきたが、上記した発明の実施の形態は、本開示の理解を容易にするためのものであり、本開示を限定するものではない。本開示は、その趣旨並びに特許請求の範囲を逸脱することなく、変更、改良され得ると共に、本開示にはその等価物が含まれる。たとえば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００３５】
１０…エンターテインメント制御装置、１１…ＣＰＵ、１２…メモリ、１３…入出力インタフェース、２０…シート制御装置、３０…車両制御装置、４０…映像格納機器、５０…生体センサ、６０…車両、１００…エンターテインメントシステム。
【図１】
2020188390.tif 000003
【図２】
2020188390.tif 000004
【図３】
2020188390.tif 000005
【図４】
2020188390.tif 000006
【図５】
2020188390.tif 000007